(57)【要約】【課題】取付作業を合理化し、ケーブルラックを極めて容易に取り付けることができるケーブルラック用カバー取付金具を提供する。【解決手段】親桁Ｐ１と子桁Ｐ２とでケーブルラックＰを構成する。子桁Ｐ２に外嵌して該子桁Ｐ２にスライド自在に係止する係止部１を設ける。係止部１から屈曲延長され親桁Ｐ１の側面に沿って配設する位置決め部２を設ける。位置決め部２の先端部から屈曲延長されカバーＱを固定する固定部３を設ける。親桁Ｐ１の内側に位置決め部２を当接すると固定部３がカバーＱの取付位置に設置される。【選択図】  図１
2015104270.tif 000002
【特許請求の範囲】
【請求項１】
親桁と子桁とで構成されたケーブルラックにカバーを取り付けるケーブルラック用カバー取付金具において、ケーブルラックの子桁に外嵌して該子桁にスライド自在に係止する係止部と、係止部から屈曲延長され親桁の側面に沿って配設される位置決め部と、位置決め部の先端部から屈曲延長されカバーを固定する固定部とを備え、親桁の内側に位置決め部を当接させたときに固定部の位置がカバーの取付位置に設置されるように構成したことを特徴とするケーブルラック用カバー取付金具。
【請求項２】
前記固定部に、前記カバーに開穿されたネジ孔に挿通せしめる連結ボルトを予め固定し、前記カバーの取付位置に設置された前記固定部の連結ボルトの先端に、前記カバーのネジ孔の位置を合わせて連結ナットで固定するように構成した請求項１記載のケーブルラック用カバー取付金具。
【請求項３】
前記位置決め部と前記固定部との間に補強部が屈曲形成され、前記親桁の長手方向に沿って形成された補強溝の内側に係合するように構成した請求項１記載のケーブルラック用カバー取付金具。
【請求項４】
前記係止部は、前記子桁の前記リップ部側から外嵌すると共に、前記子桁のリップ部内側に係止せしめる係止ナットにネジ止めされるように構成した請求項１記載のケーブルラック用カバー取付金具。
【請求項５】
前記係止部は、前記子桁の前記リップ部の側面方向から外嵌するように形成され、該係止部と前記補強溝の内側に重合する前記補強部とで前記ケーブルラックに設置するように構成した請求項１記載のケーブルラック用カバー取付金具。
【請求項６】
前記係止部は、前記子桁の前記リップ部側から外嵌すると共に、前記親桁の外側から子桁方向に貫通する固定ネジで前記係止部がねじ止めされるように構成した請求項１又は５記載のケーブルラック用カバー取付金具。
【発明の詳細な説明】
【技術分野】
【０００１】
本発明は、ケーブルラックにカバーを固定する際にカバーの取付作業が向上するケーブルラック用カバー取付金具に関するものである。
【背景技術】
【０００２】
一般に、電力幹線や通信幹線等の各種ケーブル類を配線する際に使用するケーブルラックは、一対の親桁の間に複数の子桁を架設して梯子状に形成されたものである。そして、必要により、親桁の長手方向に沿ってカバーが装着される。
【０００３】
この際、縦方向に配置される立上りケーブルラックはカバーを前面に取り付けることになる。ところが、立上りケーブルラック用のカバーは、親桁の側面に装着した取付金具を利用してカバーを取り付ける手段が採用されていたので、部品点数が多く、作業性が悪くなる問題があった。
【０００４】
そこで、ケーブルラックの子桁を利用してカバーを固定する取付金具が種々提案されている。特許文献１に記載の取付金具は、子桁の開口部に形成されているリップ部の内側に係止せしめる締付けナット片と、リップ部の外側に立設する支持金具と、ナット片に支持金具をネジ止めする固定ネジとを備え、この固定ネジにて連結した締付けナット片と支持金具とでリップを挟み付けて固定するものである。そして、この支持金具の頂部に屈曲形成された部位にネジ孔を設け、このネジ孔にネジ止めするボルトにてカバーを固定する構造が提案されている。
【０００５】
一方、特許文献２に記載されている取付金具は、特許文献１と同様に子桁の開口部を利用して固定するものであるが、子桁のリップ部内側に直接係止する係止部を備えたものである。更に、この係止部には、カバーを取り付ける取着部と、係止部に取着部を連結する一体物の連結部とを備えている。そして、カバーを取り付ける取着部には、予めネジ孔が形成されており、このネジ孔にカバー側からネジ止めしてカバーを固定する構成を採用している。
【先行技術文献】
【特許文献】
【０００６】
【特許文献１】特許第３５１５７５４号公報
【特許文献２】特許第４０４８９８３号公報
【発明の概要】
【発明が解決しようとする課題】
【０００７】
特許文献１及び特許文献２に記載の取付金具は、いずれも、子桁の開口部に固定する構成を採用している。ところが、子桁の開口部に固定する際に、取付金具の位置をカバーのネジ孔の位置に合わせて調整する必要があり、この調整作業が極めて面倒な作業になっていた。
【０００８】
すなわち、特許文献１及び特許文献２に記載の取付金具では、子桁に取付金具を装着した後、取付金具のネジ孔とカバーのネジ孔との位置を合わせた状態で連結ボルトにてネジ止めする作業になる。ところが、いずれの取付金具も、取付金具の固定位置をカバーの取付位置に合わせる調整手段は採用されていなかった。そのため、従来の取付金具でカバーを固定する作業では、一旦、取付金具を子桁に仮止めしておき、カバーを取り付ける際に取付金具の位置を正確な取付位置に合わせる調整作業が必要になる。その後、取付金具のネジ孔にカバーのネジ孔を合わせ、各ネジ孔に連結ボルトを挿通して固定する作業になるが、各ネジ孔が重なっていても僅かなずれが生じると各ネジ孔に連結ボルトが挿入できなくなり、取付金具の固定位置を更に正確な位置に調整する必要が生じる。
【０００９】
しかも、特許文献２に記載の構成によると、取付金具のネジ孔とカバーのネジ孔とを一致させた状態で、カバーの外側から連結ボルトをネジ止めする構成を採用している。そのため作業者は、各ネジ孔の位置を合わせた状態を保ちながら片手でカバーを支持し、もう片方の手で各ネジ孔に連結ボルトを挿通させて締め付ける作業が要求されている。このように、従来の取付金具にてケーブルラック用のカバーを取り付ける作業は、極めて多くの手間を要するものであった。
【００１０】
そこで、本発明は上述の課題を解消すべく創出されたもので、ケーブルラックにカバーを取り付ける際に、取付作業を合理化し、ケーブルラックを極めて容易に取り付けることができるケーブルラック用カバー取付金具の提供を目的とする。
【課題を解決するための手段】
【００１１】
上述の目的を達成すべく本発明における第１の手段は、親桁Ｐ１と子桁Ｐ２とで構成されたケーブルラックＰにカバーＱを取り付けるケーブルラック用カバー取付金具において、ケーブルラックＰの子桁Ｐ２に外嵌して該子桁Ｐ２にスライド自在に係止する係止部１と、係止部１から屈曲延長され親桁Ｐ１の側面に沿って配設される位置決め部２と、位置決め部２の先端部から屈曲延長されカバーＱを固定する固定部３と、を備え、親桁Ｐ１の内側に補強部４を当接させたときに固定部３の位置がカバーＱの取付位置に設置されるように構成したことにある。
【００１２】
第２の手段は、前記固定部３に、前記カバーＱに開穿されたネジ孔Ｑ１に挿通せしめる連結ボルト５を予め固定し、前記カバーＱの取付位置に設置された前記固定部３の連結ボルト５の先端に、前記カバーＱのネジ孔Ｑ１の位置を合わせるように構成した。
【００１３】
第３の手段において、前記位置決め部２と前記固定部３との間に補強部４が屈曲形成され、前記親桁Ｐ１の長手方向に沿って形成された補強溝Ｐ１ａの内側に補強部４が係合するように構成したことにある。
【００１４】
第４の手段の前記係止部１は、前記子桁Ｐ２の前記リップ部Ｐ２ａ側から外嵌すると共に、前記子桁Ｐ２のリップ部Ｐ２ａ内側に係止せしめる係止ナット７にネジ止めされるように構成している。
【００１５】
第５の手段の前記係止部１は、前記子桁Ｐ２の前記リップ部Ｐ２ａの側面方向から外嵌するように形成され、該係止部１と前記補強溝Ｐ１ａの内側に重合する前記補強部４とで前記ケーブルラックＰに設置するように構成した。
【００１６】
第６の手段の前記係止部１は、前記子桁Ｐ２の前記リップ部Ｐ２ａ側から外嵌すると共に、前記親桁Ｐ１の外側から子桁Ｐ２方向に貫通する固定ネジ９で前記係止部１がねじ止めされるように構成したことにある。
【発明の効果】
【００１７】
本発明の請求項１によると、親桁Ｐ１の内側に位置決め部２を当接させたときに固定部３の位置がカバーＱの取付位置に設置されるように構成したことで、この位置決め部２に合わせて係止部１を子桁Ｐ２に固定するだけで、カバーＱを取り付ける正確な位置に本発明取付金具を設置することができる。この結果、従来の取付金具に必要な仮止め作業からの位置調整作業は不要になり、ケーブルラックにカバーを固定する際の作業性を合理化することに成功した。しかも、係止部１は、子桁Ｐ２に外嵌して係止する構成を採用したことにより、子桁Ｐ２のリップ部Ｐ２ａに係止する従来の取付金具に比べて支持強度が高くなる効果もある。
【００１８】
請求項２のように、固定部３に、カバーＱに開穿されたネジ孔Ｑ１に挿通せしめる連結ボルト５を予め固定し、カバーＱの取付位置に設置された固定部３の連結ボルト５の先端に、カバーＱのネジ孔Ｑ１の位置を合わせるように構成したことで、作業員は、カバーＱを持って操作するだけの作業で連結ボルト５の先端にカバーＱのネジ孔Ｑ１を合わせることができる。
【００１９】
しかも、カバーＱのネジ孔Ｑ１に連結ボルト５を挿通した後は、この連結ボルト５にカバーＱが係止されているので、連結ボルト５に連結ナット６をネジ止めする作業も簡単に行える。したがって、従来の作業のように、片手でカバーＱの位置を合わせた状態を維持しながらもう片方の手で連結ボルトをネジ孔に挿通させてネジ止めするといった面倒な作業は一切必要なくなり、カバーＱの装着作業を極めて容易に行うことができる。
【００２０】
請求項３のごとく、補強部４は、位置決め部２と固定部３との間に屈曲形成され、親桁Ｐ１の長手方向に沿って形成された補強溝Ｐ１ａの内側に補強部４が係合するように構成したことにより、位置決め部２及び固定部３の強度を高めることができる。この結果、連結ボルト５の先端にカバーＱのネジ孔Ｑ１の位置を合わせる際に、カバーＱの荷重が連結ボルト５を介して位置決め部２や固定部３に掛かったとしても、これら位置決め部２や固定部３のたわみや変形を防止することができる。
【００２１】
請求項４によると、係止部１は、子桁Ｐ２のリップ部Ｐ２ａ側から外嵌すると共に、子桁Ｐ２のリップ部Ｐ２ａ内側に係止せしめる係止ナット７にネジ止めされるように構成したことで、係止部１を子桁Ｐ２に沿ってスライドさせ正確な位置に調整した後、係止ナット７で強固に固定することができる。したがって、連結ボルト５の先端にネジ孔Ｑ１の位置を合わせる際に、連結ボルト５を介して係止部１に負荷が掛かったとしても、係止部１の位置ずれを防止することができる。
【００２２】
請求項５によると、係止部１は、子桁Ｐ２のリップ部Ｐ２ａの側面方向から外嵌するように形成され、該係止部１と補強溝Ｐ１ａの内側に子桁Ｐ２方向から重合する補強部４とでケーブルラックＰに固定するように構成したので、係止部１を子桁Ｐ２に沿ってスライドさせ正確な位置に調整するだけの操作で係止部１を固定することができる。この結果、係止部１の固定作業が極めて容易になるものである。
【００２３】
請求項６によると、係止部１は、子桁Ｐ２のリップ部Ｐ２ａ側から外嵌すると共に、親桁Ｐ１の外側から子桁Ｐ２方向に貫通する固定ネジ９で係止部１がねじ止めされるように構成したことで、係止部１を子桁Ｐ２に沿ってスライドさせ正確な位置に調整した後、固定ネジ９で強固に固定することができる。したがって、連結ボルト５の先端にネジ孔Ｑ１の位置を合わせる際に、連結ボルト５を介して係止部１に負荷が掛かったとしても、係止部１の位置ずれを防止することができるものである。
【図面の簡単な説明】
【００２４】
【図１】本発明の使用状態を示す分解斜視図である。
【図２】本発明の使用状態を示す斜視図である。
【図３】本発明の一実施例を示す分解斜視図である。
【図４】本発明の一実施例の使用状態を示す斜視図である。
【図５】本発明の一実施例の使用状態を示す平面図である。
【図６】本発明の他の実施例を示す分解斜視図である。
【図７】本発明の他の実施例の装着状態を示す斜視図である。
【図８】本発明の他の実施例を示す分解斜視図である。
【図９】本発明の他の実施例の装着状態を示す斜視図である。
【発明を実施するための形態】
【００２５】
本発明によると、ケーブルラックにカバーを取り付ける際に、取付作業を合理化し、ケーブルラックを極めて容易に取り付けることができるといった当初の目的を達成した。
【００２６】
以下、本発明の実施例を説明する。本発明は、親桁Ｐ１と子桁Ｐ２とから成るケーブルラックＰにカバーＱを取り付ける取付金具である。本発明の基本構成は、係止部１、位置決め部２、固定部３等が形成されている（図１参照）。
【００２７】
係止部１は、ケーブルラックＰの子桁Ｐ２に外嵌して係止する部位であり、この係止部１の端部から位置決め部２が屈曲延長されている(図３参照)。図示の係止部１は、子桁Ｐ２のリップ部Ｐ２ａ側から外嵌すると共に、子桁Ｐ２のリップ部Ｐ２ａ内側に係止せしめる係止ナット７にネジ止めされる係止部１が示されている。
【００２８】
すなわち、子桁Ｐ２のリップ部Ｐ２ａ側から子桁Ｐ２に外嵌する上下一対の係止片１Ａと、更に、この係止片１Ａ間に子桁Ｐ２のリップ部Ｐ２ａ外側に当接する係合板１Ｂとを設けている(図４参照)。そして、係合板１Ｂに開穿されたネジ孔１Ｂaから係止ナット７に係止ボルト８をネジ止めする。この係止部１は、子桁Ｐ２に沿って係止片１Ａをスライドさせ、位置決め部２が親桁Ｐ１の内側に重合したところで係止ボルト８を締め付けてリップ部Ｐ２ａに係止部１を固定するものである。
【００２９】
位置決め部２は、親桁Ｐ１の側面に沿って配設される部位で、係止部１から屈曲形成され、固定部３の位置を位置決めする部位である（図３参照）。固定部３は、この位置決め部２の先端部から屈曲延長されている。そして、この位置決め部２を親桁Ｐ１の内側に当接させたときに、固定部３がカバーＱの取付位置になるように設定している(図５参照)。また、位置決め部２が当接するとは、親桁Ｐ１に位置決め部２の一部が接する状態や、親桁Ｐ１の側面に一部の位置決め部２が重なる状態、更に、親桁Ｐ１の側面に位置決め部２全体が重なるすべての状態をいう。図示例では、親桁Ｐ１の内側面に位置決め部２と、後述する補強部４とが重合するように構成している（図４参照）。
【００３０】
固定部３は、連結ボルト５を介してカバーＱを固定する部位で、図示例では、連結ボルト５を固定部３に予め立設した状態で固定している。そして、この連結ボルト５の先端にカバーＱのネジ孔Ｑ１を合わせるように構成する(図１参照)。すなわち、位置決め部２によってカバーＱの取付位置に固定部３を設置し、この固定部３の連結ボルト５の先端に、カバーＱのネジ孔Ｑ１の位置を合わせてカバーＱを装着し、袋ナット等の連結ナット６で固定するものである(図２参照)。
【００３１】
補強部４は、位置決め部２と固定部３との間に屈曲形成された部位である。そして、親桁Ｐ１の長手方向に沿って形成された補強溝Ｐ１ａの内側に補強部４を係合することで、位置決め部２や固定部３の強度を高めるものである（図５参照）。図示の補強部４は、親桁Ｐ１の長手方向に沿って形成された補強溝Ｐ１ａの内側に、補強部４のくの字形状に屈曲された端部が係合するように構成したものである。
【００３２】
図６及び図７に示す係止部１は、子桁Ｐ２のリップ部Ｐ２ａの側面方向から外嵌するように形成されている。そして、この係止部１と、親桁Ｐ１の補強溝Ｐ１ａの内側に係合する補強部４とでケーブルラックＰに設置するように構成したものである(図７参照)。図示の係止部１は、子桁Ｐ２のリップ部Ｐ２ａ外側に当接する係合板１Ｂの上端部から屈曲延長された逆Ｌ字状の係止片１Ａが形成されている（図６参照）。そして、子桁Ｐ２の上方から係止部１を外嵌する(図７（イ）参照)。そうすると、係止片１Ａと係合板１Ｂとが子桁Ｐ２に係止し、位置決め部２が親桁Ｐ１の内側に重合した位置を固定部３の設置位置とするものである(図７（ロ）参照)。図示例では、位置決め部２を親桁Ｐ１の内側に合わせた状態で子桁Ｐ２の上から係止部１を外嵌させた状態を示している。
【００３３】
図８及び図９に示す係止部１は、子桁Ｐ２のリップ部Ｐ２ａ側から外嵌すると共に、親桁Ｐ１の外側から子桁Ｐ２方向に貫通する固定ネジ９で係止部１がねじ止めされるように構成したものである（図９参照）。図示の係止片１Ａは、子桁Ｐ２の上下側面に係止するように対を成し、各係止片１Ａにネジ孔１Ａａを開穿したものである（図８参照）。そして、子桁Ｐ２のリップ部Ｐ２ａ側から子桁Ｐ２に係止片１Ａを外嵌してスライド自在に係止する(図９（イ）参照)。更に、位置決め部２が親桁Ｐ１の内側に重合したところで、固定ネジ９にて係止部１をネジ止めするものである(図９（ロ）参照)。図示の固定ネジ９は親桁Ｐ１の外側から親桁Ｐ１を貫通するタッピンネジ等を使用するものである。
【００３４】
尚、係止部１、位置決め部２、固定部３、補強部４等の形状は図示例に限定されるものではなく本発明の要旨を変更しない範囲であれば他の形状に変更することも可能である。また、本発明取付金具を使用するケーブルラックは立上りケーブルラックに限定されず、水平使用のケーブルラックにカバーを取り付ける場合などにも適宜使用することができる。
【符号の説明】
【００３５】
Ｐ  ケーブルラック
Ｐ１  親桁
Ｐ１ａ  補強溝
Ｐ２  子桁
Ｐ２ａ  リップ部
Ｑ  カバー
Ｑ１  ネジ孔
１  係止部
１Ａ  係止片
１Ａａ  ネジ孔
１Ｂ  係合板
１Ｂａ  ネジ孔
２  位置決め部
３  固定部
４  補強部
５  連結ボルト
６  連結ナット
７  係止ナット
８  係止ボルト
９  固定ネジ
【図１】
2015104270.tif 000003
【図２】
2015104270.tif 000004
【図３】
2015104270.tif 000005
【図４】
2015104270.tif 000006
【図５】
2015104270.tif 000007
【図６】
2015104270.tif 000008
【図７】
2015104270.tif 000009
【図８】
2015104270.tif 000010
【図９】
2015104270.tif 000011